(57)【特許請求の範囲】
【請求項１】
放電空間を介して対向配置された一対の基板の一方の基板に誘電体層で覆われた行電極を設け、他方の基板に前記行電極と直交する方向に伸長する列電極と紫外線励起により発光する蛍光体層を設けたプラズマディスプレイパネルであって、前記誘電体層上に放電によるイオン衝撃から前記誘電体層を保護するとともに、紫外線励起により紫外線を放射する紫外線発光蛍光体層を設けたことを特徴とするプラズマディスプレイパネル。
【請求項２】
前記他方の基板の列電極間に放電空間を区画する隔壁が形成されていることを特徴とする、請求項１記載のプラズマディスプレイパネル。
【請求項３】
前記紫外線発光蛍光体層上に２次電子放出機能を有する保護層が形成されていることを特徴とする、請求項１記載のプラズマディスプレイパネル。
【請求項４】
前記一方の基板が表示面側の基板であることを特徴とする、請求項１記載のプラズマディスプレイパネル。
【発明の詳細な説明】
【０００１】
【発明の属する技術分野】
本発明は、プラズマディスプレイパネル（以下、ＰＤＰという）の構造に関する。
【０００２】
【従来の技術】
近年、大型で且つ薄型のカラー表示装置として面放電型交流駆動方式のＰＤＰの実用化が期待されている。交流駆動方式のＰＤＰの一例を図３に示す。
【０００３】
図３は、従来における交流駆動方式のＰＤＰの要部断面構造図である。図３において、ＰＤＰ１１は、表示面側となるガラス基板１には、透明導電膜からなる透明電極と、透明導電膜の導電性を補うために透明導電膜の放電ギャップとは反対側の端部に積層された金属膜からなる金属電極とで構成される複数の対を成す行電極（維持電極（Ｘ，Ｙ））２が互いに平行となるように配置されて形成さ
れ、さらに、維持電極（Ｘ，Ｙ）２を被覆して誘電体層３が形成されている。誘電体層３上には、ＭｇＯからなる保護層４が形成されている。
【０００４】
一方、背面側のガラス基板５の内面側には、行電極２と直交するように所定の間隔で配置される複数の列電極（アドレス電極）６、アドレス電極６を被覆する誘電体からなる誘電体層７が形成されている。
【０００５】
また、背面側のガラス基板５上の各アドレス電極６間には、所定高さの帯状のリブ（隔壁）８が設けられ、これによって、放電空間１０が表示ライン方向に単位発光領域（放電セル）ごとに区画され、放電空間１０の間隙寸法が規定されている。さらに、背面側のガラス基板５のアドレス電極６の上面及び隔壁８の側面には、Ｒ、Ｇ、Ｂの３色の蛍光体層９が設けられている。
【０００６】
また、ガラス基板１、５はその周囲が図示せぬ封止層によって封止され内部の放電空間１０には図示せぬ放電ガスが封じ込められて充満している。放電ガス
は、例えばキセノンを５体積％程度混合したネオン−キセノン混合ガスが用いられている。
【０００７】
このＰＤＰ１１の各放電セルを発光させる動作を説明すると、先ず、一対の維持電極（Ｘ，Ｙ）２間に所定の電圧を加えて放電を開始させ、続いて表示に不必要な放電セルに対応するアドレス電極６に選択消去パルスを印加して誘電体層３の壁電荷を消去して放電を停止させる。
【０００８】
次いで、維持電極（Ｘ，Ｙ）２には、放電開始電圧より低い維持パルスが加えられ、表示画素に対応する放電セルについては放電が維持される。放電中の放電セルにおける放電空間１０では、放電に伴いキセノンガスから波長１４７ｎｍの真空紫外光が放射され、蛍光体層９が真空紫外光によって紫外線励起されて発光する。ここで保護層４は放電によるイオン衝撃から誘電体層３を保護する役割と２次電子放射率を高めることによって放電開始電圧を低減させる役割を有する。
【０００９】
ＰＤＰ１１は、概略以上のように構成されるので、蛍光体層９による発光表示が可能であり、主に放電に関与する表示面側に蛍光体層がなく、保護層４を有することによって蛍光体層９が放電時のイオン衝撃を直接受けることがないので、蛍光体層９の劣化がなく、長寿命である。
【００１０】
【発明が解決しようとする課題】
ところが、ＭｇＯからなる保護層４は、放電時において放射される真空紫外光を良く吸収するので、放電時にキセノンガスによって放電空間１０に放射される真空紫外光のうち表示面側のガラス基板の方に向う半分程度の真空紫外光は保護層４で吸収されてしまい、蛍光体層９を励起するために用いられない。
【００１１】
従って、上記半分程度の真空紫外光は、蛍光体層９の発光に寄与しないため、結果的に蛍光体層８の発光効率（放射される真空紫外光のうち蛍光体層９の発光に寄与する分の割合）をあまり上げることができず、ＰＤＰの輝度を増すことには限界があった。
【００１２】
本発明は、上述の問題点に鑑みなされたものであり、発光寿命を縮めることなく発光効率を向上させることができるプラズマディスプレイパネルを提供することを目的とする。
【００１３】
【課題を解決するための手段】
請求項１記載の発明は、放電空間を介して対向配置された一対の基板の一方の基板に誘電体層で覆われた行電極を設け、他方の基板に前記行電極と直交する方向に伸長する列電極と紫外線励起により発光する蛍光体層を設けたプラズマディスプレイパネルであって、誘電体層上に放電によるイオン衝撃から前記誘電体層を保護するとともに、紫外線励起により紫外線を放射する紫外線発光蛍光体層を設けたことを特徴とする。
【００１４】
また、請求項２記載の発明は、請求項１記載のプラズマディスプレイパネルにおいて、他方の基板の列電極間に放電空間を区画する隔壁が形成されていることを特徴とする。
【００１５】
また、請求項３記載の発明は、請求項１記載のプラズマディスプレイパネルにおいて、紫外線発光蛍光体層上に２次電子放出機能を有する保護層が形成されていることを特徴とする。
【００１６】
また、請求項４記載の発明は、請求項１記載のプラズマディスプレイパネルにおいて、一方の基板が表示面側の基板であることを特徴とする。
【００１７】
【作用】
本発明によれば、誘電体層上に設けられた紫外線発光蛍光体層が、放電セルの放電によって放電空間内の放電ガスから放出される真空紫外光のうち直接蛍光体層を励起しない真空紫外光を受けることにより、紫外線励起されて放電空間内に紫外線を放射するので、蛍光体層がこれを受けて紫外線励起されて発光することができるので、蛍光体層の発光効率が向上する。
【００１８】
【発明の実施の形態】
次に、本発明の好適な実施の形態について図をもとに説明する。図１は、本発明の第１  の実施形態におけるＰＤＰの要部構造断面図である。なお、図１において、先の図３のＰＤＰ１１における構成と同一の構成部分については同一の符号を付してあり、ここではその詳細説明は重複するので省略する。
【００１９】
第１  の実施形態におけるＰＤＰ１２は、図３のＰＤＰ１１の誘電体層３上に保護層４の代りに紫外線発光蛍光体層１３を形成して構成される。
【００２０】
図１  に示すように、ＰＤＰ１２は、表示面側となるガラス基板１上に維持電極（Ｘ，Ｙ）２、誘電体層３が順次形成され、さらに誘電体層３を覆うように紫外線発光蛍光体層１３が一様に被覆形成される。
【００２１】
一方、背面側のガラス基板５の内面側には、アドレス電極６、誘電体層７が形成され、各アドレス電極６間には隔壁８が設けられる。また、アドレス電極６の上面及び隔壁８の側面には、Ｒ、Ｇ、Ｂの３色の蛍光体層９が設けられている。
【００２２】
ＰＤＰ１２は、このように各部が形成されたガラス基板１、５をその周囲を図示せぬ封止層によって封止して内部の放電空間１０に図示せぬ放電ガスを封じ込めて形成される。
【００２３】
紫外線発光蛍光体層１３は、例えばアルミン酸マグネシウム紫外線発光蛍光体組成物などからなる被膜であり、放電空間１０を介して蛍光体層９と対向するように表示面側のガラス基板１に設けられた誘電体層３上に上記アルミン酸マグネシウム紫外線発光蛍光体組成物などからなる塗料を一様に塗布することにより形成される。
【００２４】
紫外線発光蛍光体層１３は、真空紫外光を受けると、真空紫外光を真空紫外光または紫外線に変換する作用を有する。従って、ＰＤＰ１２の放電時に、キセノンガスによって放電空間１０に放射される真空紫外光のうち半分程度が直接蛍光体層９を紫外線励起することなく表示面側のガラス基板の方に向かった場合で
も、紫外線発光蛍光体層１３が受光する真空紫外光を真空紫外光または紫外線に変換して蛍光体層９の方に戻すので、蛍光体層９の発光強度が増す。その結果、従来のＰＤＰ１１に比べて蛍光体層９の発光効率が向上する。
【００２５】
また、紫外線発光蛍光体層１３は放電時における放電によるイオン衝撃から蛍光体層９を保護する役割を有するので、ＰＤＰ１２は、紫外線発光蛍光体層１３を有することによって蛍光体層９が放電時のイオン衝撃を直接受けることがないので、誘電体層３上にＭｇＯなどからなる保護層をあえて設けなくても蛍光体層９の劣化がなく、長寿命である。
【００２６】
次に、本発明の第２の実施形態を説明する。図２は、本発明の第２の実施形態におけるＰＤＰの要部構造断面図である。なお、図２において、先に説明した図３のＰＤＰ１１及び図１のＰＤＰ１２における構成と同一の構成部分については同一の符号を付してあり、ここではその詳細説明は重複するので省略する。
【００２７】
図２に示すように、ＰＤＰ１４は、表示面側となるガラス基板１上に維持電極（Ｘ，Ｙ）２、誘電体層３が順次形成され、さらに誘電体層３上には紫外線発光蛍光体層１５が各アドレス電極６と対向する位置においてアドレス電極６の形状に沿った形状で被覆形成される。さらに、紫外線発光蛍光体層１５及び誘電体層３を覆うように保護層１６が形成される。
【００２８】
紫外線発光蛍光体層１５は、例えばアルミン酸マグネシウム紫外線発光蛍光体組成物などからなる被膜であり、放電空間１０を介して蛍光体層９と対向するように表示面側のガラス基板１に設けられた誘電体層３上に上記アルミン酸マグネシウム紫外線発光蛍光体組成物などからなる塗料を各アドレス電極６と対向する位置においてアドレス電極６の形状に沿った形状にパターニング塗布することにより形成される。尚、紫外線発光蛍光体層１５は、上述のようにパターニングすることなく一様に形成しても良い。
【００２９】
紫外線発光蛍光体層１５は、真空紫外光を受けると、紫外線発光蛍光体層１３と同様に真空紫外光を真空紫外光または紫外線に変換する作用を有する。
【００３０】
また、保護層１６は、上述した従来のＰＤＰ１１における保護層４と同様の材料で形成され、その厚さが保護層４よりも薄く形成される酸化マグネシウム層である。従って、保護層１６は、ＰＤＰ１４の放電時に真空紫外光を受けた場合
に、真空紫外光は、その大半が通過して紫外線発光蛍光体層１５へ入射する。
【００３１】
保護層１６は、放電時における２次電子放射率を高めることによって放電開始電圧を低減させる役割を有する。
【００３２】
一方、背面側のガラス基板５の内面側には、アドレス電極６、誘電体層７が形成され、各アドレス電極６間には隔壁８が設けられる。また、アドレス電極６の上面及び隔壁８の側面には、Ｒ、Ｇ、Ｂの３色の蛍光体層９が設けられている。
【００３３】
ＰＤＰ１２は、このように各部が形成されたガラス基板１、５をその周囲を図示せぬ封止層によって封止して内部の放電空間１０に図示せぬ放電ガスを封じ込めて形成される。
【００３４】
従って、ＰＤＰ１２の放電時に、キセノンガスによって放電空間１０に放射される真空紫外光のうち半分程度が直接蛍光体層９を紫外線励起することなく表示面側のガラス基板の方に向かった場合でも、保護層１６を通して紫外線発光蛍光体層１５が受光する真空紫外光を真空紫外光または紫外線に変換して再度保護層１６を通して蛍光体層９の方に戻すので、蛍光体層９の発光強度が増す。その結果、従来のＰＤＰ１１に比べて蛍光体層９の発光効率が向上する。
【００３５】
また、保護層１６は、紫外線発光蛍光体層１５の材料を適当に選定することにより、従来の保護層４よりも薄く形成されていても、放電時に２次電子放出の割合が低下するのを補完することができる。
【００３６】
以上により、ＰＤＰ１４は、紫外線発光蛍光体層１５及び保護層１６を有することによって放電時において、放電開始電圧を上げることなく、また、蛍光体層９が放電時のイオン衝撃を直接受けることがないので、蛍光体層９の劣化がな
く、長寿命である。
【００３７】
【発明の効果】
本発明によれば、誘電体層上に設けられた紫外線発光蛍光体層が、放電セルの放電によって放電空間内の放電ガスから放出される真空紫外光のうち直接蛍光体層を励起しない真空紫外光を受けることにより、紫外線励起されて放電空間内に紫外線を放射する。従って、蛍光体層がこれを受けて紫外線励起されて発光することができるので、誘電体層上にあえて保護層を設けなくても、または、厚さの薄い誘電体層が設けられている場合でも、蛍光体層の寿命を縮めることなく発光効率を向上させることができる。
【図面の簡単な説明】
【図１】本発明の第１  の実施形態におけるＰＤＰの要部構造断面図である。
【図２】本発明の第２の実施形態におけるＰＤＰの要部構造断面図である。
【図３】従来における交流駆動方式のＰＤＰの要部断面構造図である。
【符号の説明】
１２、１４・・・・・ＰＤＰ
１３、１５・・・・・紫外線発光蛍光体層
１６・・・・・・・・保護層
【図１】
0003608962.tif 000002
【図２】
0003608962.tif 000003
【図３】
0003608962.tif 000004